(57)【要約】【課題】ユーザが赤目補正に係る操作を簡単に行うことができるようにすることを目的とする。【解決手段】ストロボ撮影した画像に対して赤目補正を行う赤目補正手段と、表示手段に表示するメニュー画面の選択項目に係る制御を行う選択項目制御手段と、を有し、選択項目制御手段は、ストロボ撮影した画像が記録媒体に記録されていない場合は、メニュー画面の赤目補正に係る選択項目をユーザが選択できないようにすることによって課題を解決する。【選択図】図１
2008060845.tif 000002
【特許請求の範囲】
【請求項１】
ストロボ撮影した画像に対して赤目補正を行う赤目補正手段と、
表示手段に表示するメニュー画面の選択項目に係る制御を行う選択項目制御手段と、
を有し、
前記選択項目制御手段は、ストロボ撮影した画像が記録媒体に記録されていない場合は、前記メニュー画面の赤目補正に係る選択項目をユーザが選択できないようにすることを特徴とする画像処理装置。
【請求項２】
前記選択機能制御手段は、ストロボ撮影した画像が記録媒体に記録されている場合は、前記メニュー画面において、赤目補正に係る選択項目をユーザが選択できるようにし、
前記赤目補正手段は、前記赤目補正に係る選択項目がユーザによって選択されると、ユーザによって選択されたストロボ撮影した画像に対して赤目補正を行うことを特徴とする請求項１に記載の画像処理装置。
【請求項３】
前記赤目補正に係る選択項目がユーザによって選択されると、前記表示手段に、ストロボ撮影していない画像は表示しないように制御する表示制御手段を更に有することを特徴とする請求項１又は２に記載の画像処理装置。
【請求項４】
前記選択項目制御手段は、前記記録媒体が書き込み不可能な場合も、前記赤目補正に係る選択項目をユーザが選択できないようにすることを特徴とする請求項１乃至３の何れか１項に記載の画像処理装置。
【請求項５】
前記記録媒体に記録されているストロボ撮影した画像の総枚数を取得する取得手段を更に有することを特徴とする請求項１乃至４の何れか１項に記載の画像処理装置。
【請求項６】
画像処理装置における画像処理方法であって、
ストロボ撮影した画像に対して赤目補正を行う赤目補正工程と、
表示手段に表示するメニュー画面の選択項目に係る制御を行う選択項目制御工程と、
を有し、
前記選択項目制御工程では、ストロボ撮影した画像が記録媒体に記録されていない場合は、前記メニュー画面の赤目補正に係る選択項目をユーザが選択できないようにすることを特徴とする画像処理方法。
【請求項７】
前記選択機能制御工程では、ストロボ撮影した画像が記録媒体に記録されている場合は、前記メニュー画面において、赤目補正に係る選択項目をユーザが選択できるようにし、
前記赤目補正工程では、前記赤目補正に係る選択項目がユーザによって選択されると、ユーザによって選択されたストロボ撮影した画像に対して赤目補正を行うことを特徴とする請求項６に記載の画像処理方法。
【請求項８】
前記赤目補正に係る選択項目がユーザによって選択されると、前記表示手段に、ストロボ撮影していない画像は表示しないように制御する表示制御工程を更に有することを特徴とする請求項６又は７に記載の画像処理方法。
【請求項９】
前記選択項目制御工程では、前記記録媒体が書き込み不可能な場合も、前記赤目補正に係る選択項目をユーザが選択できないようにすることを特徴とする請求項６乃至８の何れか１項に記載の画像処理方法。
【請求項１０】
前記記録媒体に記録されているストロボ撮影した画像の総枚数を取得する取得工程を更に有することを特徴とする請求項６乃至９の何れか１項に記載の画像処理方法。
【請求項１１】
請求項６乃至１０の何れか１項に記載の画像処理方法をコンピュータに実行させることを特徴とするプログラム。
【請求項１２】
請求項１１に記載のプログラムを記録したコンピュータ読み取り可能な記録媒体。
【発明の詳細な説明】
【技術分野】
【０００１】
本発明は、画像処理装置及び画像処理方法に関する。
【背景技術】
【０００２】
固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することができる。また、ストロボを用いることで暗い室内や野外でも被写体を明るく写すことができる。
【０００４】
また、再生表示では、画像送りボタンによって記録媒体内に収められた画像を自由に閲覧することができる。
【０００５】
しかしながら、ストロボを用いることで、被写体の人の目が赤くなる赤目を引き起こすことがある。その対策としてストロボ発光撮影する前に一度光を当て瞳孔を収縮させて赤目を抑える赤目緩和機能を備えたカメラも多い。但し、赤目緩和機能を用いても赤目を完全になくすことはできない。
【０００６】
近年、画像処理技術が発展し、赤目が発生した画像を画像処理によって補正することができるカメラも出てきている。特許文献１には、まとめて画像処理をする際に撮影情報から赤目の可能性がある画像に対してのみ赤目処理を行うことが記載されている。
【０００７】
【特許文献１】特開２００４−１４５２８７号公報
【発明の開示】
【発明が解決しようとする課題】
【０００８】
しかしながら、赤目補正を行う対象となる画像をユーザに提示し、ユーザが赤目補正を行うか否かを選択するＵＩ（Ｕｓｅｒ  Ｉｎｔｅｒｆａｃｅ）を有する画像処理装置においては、ユーザは、赤目補正に係る操作を簡単に行うことができない問題があった。
【０００９】
本発明はこのような問題点に鑑みなされたもので、ユーザが赤目補正に係る操作を簡単に行うことができるようにすることを目的とする。
【課題を解決するための手段】
【００１０】
そこで、本発明の画像処理装置は、ストロボ撮影した画像に対して赤目補正を行う赤目補正手段と、表示手段に表示するメニュー画面の選択項目に係る制御を行う選択項目制御手段と、を有し、前記選択項目制御手段は、ストロボ撮影した画像が記録媒体に記録されていない場合は、前記メニュー画面の赤目補正に係る選択項目をユーザが選択できないようにすることを特徴とする。
【００１１】
係る構成とすることにより、例えば、赤目補正の対象となる画像が存在しない場合、ユーザが赤目補正の機能を選択することができなくなるようにすることができる。つまり、ユーザは、例えば、赤目補正の対象となる画像が存在しないのに、赤目補正の機能を選択し、赤目補正の対象となる画像を探そうとする等の無駄な操作を行わなくてもよくなる。よって、ユーザが赤目補正に係る操作を簡単に行うことができるようにすることができる。
【００１２】
また、本発明は、画像処理方法、プログラム及び記録媒体としてもよい。
【発明の効果】
【００１３】
本発明によれば、ユーザが赤目補正に係る操作を簡単に行うことができるようにすることができる。
【発明を実施するための最良の形態】
【００１４】
以下、本発明の実施形態について図面に基づいて説明する。
【００１５】
図１は、画像処理装置１００の構成を示す図である。
図１において、１００は、画像処理装置である。１０は、撮影レンズである。１２は、絞り機能を備えるシャッターである。１４は、光学像を電気信号に変換する撮像素子である。１６は、アナログ信号出力をディジタル信号に変換するＡ／Ｄ変換器である。
【００１６】
１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１７】
２０は、画像処理回路である。画像処理回路２０は、Ａ／Ｄ変換器１６からのデータ或いはメモリ制御回路２２からのデータに対して所定の画素補間処理や色変換処理を行う。また、画像処理回路２０は、撮像した画像データを用いて所定の演算処理を行う。
【００１８】
システム制御回路５０は、画像処理回路２０における演算処理の結果に基づいて、露光制御部４０、測距制御部４２に対して制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。
【００１９】
更に、画像処理回路２０は、撮像した画像データを用いて所定の演算処理を行い、得られた演算結果に基づいてＴＴＬ方式のＡＷＢ（オートホワイトバランス）処理を行う。
【００２０】
２２は、メモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４、或いはメモリ３０に書き込まれる。
【００２２】
２４は、画像表示メモリである。２６は、Ｄ／Ａ変換器である。２８は、ＴＦＴ、ＬＣＤ等から成る画像表示部である。画像表示メモリ２４に書き込まれた表示用の画像データは、Ｄ／Ａ変換器２６を介して画像表示部２８により表示される。
【００２３】
画像処理装置１００は、画像表示部２８を用いて、撮像した画像データを逐次表示すれば、電子ファインダー機能を実現することができる。
【００２４】
また、画像表示部２８は、システム制御回路５０の指示により任意に表示をＯＮ／ＯＦＦすることができ、表示をＯＦＦにした場合には画像処理装置１００の電力消費を大幅に低減することができる。
【００２５】
３０は、撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速且つ大量の画像書き込みを、メモリ３０に対して行うことができる。また、メモリ３０は、システム制御回路５０の作業領域としても使用することができる。
【００２６】
３２は、適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２７】
４０は、絞り機能を備えるシャッター１２を制御する露光制御部であり、フラッシュ４８と連携して動作することによりフラッシュ調光機能も有するものである。
【００２８】
４２は、撮影レンズ１０のフォーカシングを制御する測距制御部である。４４は、撮影レンズ１０のズーミングを制御するズーム制御部である。４６は、バリアである保護部１０２の動作を制御するバリア制御部である。
【００２９】
４８は、フラッシュであり、ＡＦ補助光の投光機能、フラッシュ調光機能、を有する。露光制御部４０、測距制御部４２は、ＴＴＬ方式を用いて制御されている。５０は、画像処理装置１００全体を制御するシステム制御回路である。５２は、システム制御回路５０の動作用の定数、変数、プログラム等を記憶するメモリである。
【００３０】
５４は、システム制御回路５０でのプログラムの実行に応じて、文字、画像、音声等を用いて動作状態やメッセージ等を表示する液晶表示装置、スピーカー等の表示部である。表示部５４は、画像処理装置１００の操作部近辺の視認し易い位置に単数或いは複数個所設置され、例えばＬＣＤやＬＥＤ、発音素子等の組み合わせにより構成されている。
【００３１】
また、表示部５４は、その一部の機能が光学ファインダー１０４内に設置されている。表示部５４の表示内容のうち、ＬＣＤ等に表示するものとしては、以下の情報がある。例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示等である。また、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示等も表示される。
【００３２】
また、表示部５４の表示内容のうち、光学ファインダー１０４内に表示するものとしては、合焦表示、手振れ警告表示、フラッシュ充電表示、シャッタースピード表示、絞り値表示、露出補正表示等がある。
【００３３】
５６は、電気的に消去・記録可能な不揮発性メモリであり、例えばＥＥＰＲＯＭ等が用いられる。
【００３４】
６０、６２、６４、６６、６８及び７０は、システム制御回路５０の各種の動作指示を入力するための操作部であり、スイッチやダイアル、タッチパネル、視線検知によるポインティング、音声認識装置等の単数或いは複数の組み合わせで構成される。
【００３５】
次に、これらの操作部のより具体的な説明を行う。
６０は、モードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００３６】
６２は、シャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３７】
６４は、シャッタースイッチＳＷ２で、不図示のシャッターボタンの操作完了でＯＮとなり、以下に示す一連の処理（露光処理、現像処理、記録処理）の動作開始を指示する。ここで、露光処理とは、撮像素子１２から読み出した信号をＡ／Ｄ変換器１６、メモリ制御回路２２を介してメモリ３０に画像データとして書き込む処理のことである。また、現像処理とは、画像処理回路２０やメモリ制御回路２２での演算を用いた処理のことである。また、記録処理とは、メモリ３０から画像データを読み出し、圧縮・伸長回路３２で圧縮を行い、記録媒体２００或いは２１０に書き込む処理のことである。
【００３８】
６６は、画像表示ＯＮ／ＯＦＦスイッチで、画像表示部２８のＯＮ／ＯＦＦを設定することができる。この機能により、光学ファインダー１０４を用いて撮影を行う際に、ＴＦＴ、ＬＣＤ等から成る画像表示部２８への電流供給を遮断することにより、省電力を図ることができる。
【００３９】
６８は、クイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００４０】
７０は、各種ボタンやタッチパネル等からなる操作部である。操作部７０は、メニューボタン、セットボタン、マクロボタン、マルチ画面再生改ページボタン、フラッシュ設定ボタン、単写／連写／セルフタイマー切り替えボタン等を含む。また、操作部７０は、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等も含む。
【００４１】
８０は電源制御部で、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４２】
８２及び８４は、コネクタである。８６は、アルカリ電池やリチウム電池等の一次電池や、ＮｉＣｄ電池、ＮｉＭＨ電池、Ｌｉ電池等の二次電池、ＡＣアダプター等からなる電源部である。
【００４３】
９０及び９４は、メモリカードやハードディスク等の記録媒体とのインターフェー（Ｉ／Ｆ）である。９２及び９６は、メモリカードやハードディスク等の記録媒体と接続を行うコネクタである。９８は、コネクタ９２及び／又は９６に記録媒体２００又は２１０が装着されているか否かを検知する記録媒体着脱検知部である。
【００４４】
なお、本実施形態では記録媒体を取り付けるインターフェース及びコネクタを２系統持つものとして説明しているが、記録媒体を取り付けるインターフェース及びコネクタは、単数或いは複数、何れの系統数を備える構成としてもよい。また、異なる規格のインターフェース及びコネクタを組み合わせて備える構成としてもよい。
【００４５】
また、インターフェース及びコネクタとして、ＰＣＭＣＩＡカードやＣＦ（コンパクトフラッシュ（登録商標））カード等の規格に準拠したものを用いて構成してもよい。
【００４６】
更に、インターフェース９０及び９４、そしてコネクタ９２及び９６が、ＰＣＭＣＩＡカードやＣＦカード等の規格に準拠したものを用いて構成された場合、ユーザは、通信カードを接続する。このことにより、他のコンピュータやプリンタ等の周辺機器との間で画像データや画像データに付属した管理情報を転送し合うことができる。通信カードとは、例えば、ＬＡＮカードやモデムカード、ＵＳＢカード、ＩＥＥＥ１３９４カード、Ｐ１２８４カード、ＳＣＳＩカード等である。
【００４７】
１０２は、画像処理装置１００のレンズ１０を含む撮像部を覆う事により、撮像部の汚れや破損を防止するバリアである保護部である。
【００４８】
１０４は、光学ファインダーである。画像処理装置１００は、画像表示部２８による電子ファインダー機能を使用すること無しに、光学ファインダー１０４のみを用いて撮影を行うことができる。また、光学ファインダー１０４内には、表示部５４の一部の機能、例えば、合焦表示、手振れ警告表示、フラッシュ充電表示、シャッタースピード表示、絞り値表示、露出補正表示等が設置されていてもよい。
【００４９】
１１０は、通信部で、ＲＳ２３２ＣやＵＳＢ、ＩＥＥＥ１３９４、Ｐ１２８４、ＳＣＳＩ、モデム、ＬＡＮ、無線通信等の各種通信機能を有する。
【００５０】
１１２は、通信部１１０により画像処理装置１００を他の機器と接続するコネクタ或いは無線通信の場合はアンテナである。
【００５１】
２００は、メモリカードやハードディスク等の記録媒体である。記録媒体２００は、半導体メモリや磁気ディスク等から構成される記録部２０２、画像処理装置１００とのインターフェース２０４、画像処理装置１００と接続を行うコネクタ２０６を備えている。
【００５２】
２１０は、メモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００５３】
図２から図１１を参照して、実施形態における画像処理装置１００の動作を説明する。
図２は、画像処理装置１００の操作部材を示す図である。電源ボタン３０１は画像処理装置１００の起動及び終了時に用いられるボタンである。メニューボタン３０２は、撮影条件の変更や日付の設定、画像のプロテクトや削除といったメニューへ入るときに使用されるボタンである。また、メニューボタン３０２は、各種設定モードを終了する場合にも使用される。
【００５４】
決定ボタン３０３は、選択項目の決定に用いられるボタンである。表示ボタン３０４は、画像に関する撮影情報の表示・非表示又は電子ビューファインダーの表示・非表示を切り替えるときに用いられる。左ボタン３０５は、選択項目を左に移動する場合や画像送りする場合に用いられる。右ボタン３０６は、選択項目を右に移動する場合や画像送りする場合に用いられる。
【００５５】
上ボタン３０７は、選択項目を上に移動する場合に用いられる。下ボタン３０８は、選択項目を下に移動する場合に用いられる。シャッターボタン３０９は、撮影モードで撮影する時に利用されるボタンである。ズームボタン３１０は、ズームレンズを駆動させるときに用いられるボタンであり左右に動かすことで撮影対象の画角を変えることができる。再生モードでは画像の拡大や一枚画像表示モードと複数枚画像表示モードとの切り替えを行う。モード切り替えスイッチ３１１は、録画モードと再生モードを切り替えるときに用いられる。液晶画面３１２は、画像を確認しながら撮影する場合に用いられる。また、撮影した画像を確認するときにも液晶画面３１２は、用いられる。
【００５６】
図３は、起動時の処理を示すフローチャートである。まず再生モードで起動（Ｓ３０１）されると、画像処理装置１００は、最新画像ファイルの読み込み（Ｓ３０２）を行った後、ヘッダ解析（Ｓ３０３）を行う。その後、画像処理装置１００は、エンコードされている画像ファイルのデコード処理（Ｓ３０４）を行い、画像を表示（Ｓ３０５）する。画像の表示が終わると、画像処理装置１００は、ストロボ発光枚数取得処理（Ｓ３０６）を実行し、ボタンの入力待ち状態（Ｓ４０１）となる。なお、画像処理装置１００は、ストロボ発光枚数取得処理が完了する前からボタンの入力を受けて、カメラとして振舞うこともできる。
【００５７】
図４は、入力待ち処理を示すフローチャートである。画像処理装置１００は、入力待ち状態（Ｓ４０１）では何か入力があるかどうかチェック（Ｓ４０２）する。何か入力があれば、画像処理装置１００は、次の処理へ進む。
【００５８】
続いて、画像処理装置１００は、入力に係るボタンがＭＥＮＵボタンかどうか調べ（Ｓ４０３）、ＭＥＮＵ以外であった場合はそのボタンに係る処理（Ｓ４０４）を行い、ＭＥＮＵボタンであった場合はＭＥＮＵ生成処理（Ｓ５０１）へ進む。
【００５９】
図５は、ＭＥＮＵ生成処理を示すフローチャートである。ＭＥＮＵ生成処理では、画像処理装置１００は、まずストロボ発光画像枚数を取得済みかどうかチェック（Ｓ５０２）し、まだ取得済みでない場合は入力待ち状態（Ｓ４０１）へ戻る。取得済みの場合は、画像処理装置１００は、ＭＥＮＵの項目生成（Ｓ５０３）を行う。
【００６０】
続いて、画像処理装置１００は、ストロボ発光画像があるかどうかを調べ（Ｓ５０４）、もしストロボ発光画像がなければ赤目補正項目をグレイアウト（Ｓ５０６）し、選択できなくする。
【００６１】
ストロボ発光画像がある場合、画像処理装置１００は、記録メディアが書き込み可能な状態にあるかどうか調べ（Ｓ５０５）、書き込みができない場合はストロボ発光画像がない場合と同様、赤目補正項目をグレイアウト（Ｓ５０６）する。そして、画像処理装置１００は、ＭＥＮＵ表示（Ｓ５０６）を行う。
【００６２】
ＭＥＮＵの表示（又はＭＥＮＵの項目の表示）が完了すると、画像処理装置１００は、ＭＥＮＵ画面での入力待ち状態へと移る（Ｓ６０１）。
【００６３】
図６は、ＭＥＮＵ選択処理を示すフローチャートである。ＭＥＮＵ画面での入力待ち状態（Ｓ６０１）において、画像処理装置１００は、入力があるかどうか調べる（Ｓ６０２）。そして、何か入力がある場合は、画像処理装置１００は、その入力が何かを調べる処理へと移る。
【００６４】
画像処理装置１００は、入力が選択ボタンかどうか調べ（Ｓ６０３）、選択ボタンであった場合は、選択項目が赤目補正であったかどうかを調べる（Ｓ６０４）。選択項目が赤目補正であった場合、画像処理装置１００は、赤目補正画像選択（Ｓ７０１）へ移り、それ以外の場合は他の処理（Ｓ６０５）に移る。
【００６５】
入力が選択ボタン以外であった場合、画像処理装置１００は、終了ボタンか調べ（Ｓ６０６）、終了ボタンであった場合はＭＥＮＵを終了（Ｓ６０７）して、入力待ち状態（Ｓ４０１）へ戻る。
【００６６】
入力が終了ボタンではなかった場合、画像処理装置１００は、フォーカス移動ボタンか調べ（Ｓ６０８）、フォーカス移動ボタンであった場合は項目のフォーカス移動処理（Ｓ６０９）を行った後、ＭＥＮＵ表示を更新（Ｓ６１０）する。そして、画像処理装置１００は、ＭＥＮＵ画面の入力待ち状態へと戻る。
【００６７】
図７は、赤目補正画像選択の処理を示すフローチャートである。画像処理装置１００は、まずカレント画像がストロボ発光画像かどうか調べ（Ｓ７０２）、ストロボ発光ではない場合、カレントを最新のストロボ発光画像へ移す（Ｓ７０３）。
【００６８】
画像処理装置１００は、カレント画像を読み込み（Ｓ７０４）、デコード（Ｓ７０５）し、画像を表示（Ｓ７０６）する。更に、画像処理装置１００は、画像の総枚数表示部分をストロボの総枚数に切り替え、現在地を表す番号をストロボ総枚数中の現在位置に切り替えるよう、情報表示更新（Ｓ７０７）を行う。
【００６９】
その後、画像処理装置１００は、ユーザからの入力を待ち（Ｓ７０８）、入力があれば、まず右ボタンかどうか調べ（Ｓ７０９）、右ボタンであった場合は次のストロボ発光画像を読み込み（Ｓ７１０）、デコード（Ｓ７０５）を行う。
【００７０】
右ボタンでない場合、画像処理装置１００は、左ボタンかどうか調べ（Ｓ７１１）、左ボタンであった場合は前のストロボ発光画像を読込み（Ｓ７１２）、デコード（Ｓ７０５）を行う。
【００７１】
左ボタンではなかった場合、画像処理装置１００は、選択ボタンかどうか調べ（Ｓ７１３）、選択ボタンであった場合は赤目補正処理を実行（Ｓ７１４）する。選択ボタンではなかった場合、画像処理装置１００は、終了ボタンか調べ（Ｓ７１５）、終了ボタンであった場合はＭＥＮＵを再表示し（Ｓ７１６）、ＭＥＮＵ画面での入力待ち状態に戻る（Ｓ７１７）。入力が終了ボタン以外であった場合、画像処理装置１００は、入力待ち状態（Ｓ７０８）へ戻る。
【００７２】
図８は、メニュー表示方法の一例を示す図である。ユーザが再生起動からＭＥＮＵボタンを押すと、メニュー画面８０１が現れる。メニュー画面８０１では複数の機能が一覧表示され、その中に赤目補正項目８０２も含まれている。ストロボ発光画像が一枚もないとき、又はメディアが書き込み不可の場合、赤目補正項目がグレイアウト（８０３参照）される。
【００７３】
図９は、各処理の概念図である。起動後（９０１）、画像処理装置１００は、メディアに含まれるストロボ発光画像を調べる（９０２）。この処理自体は再生起動し、画面に画像が表示されてから行われ、ストロボ発光画像を調べている間も画像送りや拡大等の操作は可能となる。その後、ユーザがメニューから赤目補正を選択すると、画像処理装置１００は、ストロボ発光画像しか表示されないよう（９０３）に表示制御する。
【００７４】
図１０は、通常再生画面から赤目補正対象画像選択画面に移った時の画面を示す図である。通常再生画面１００１では、画像の総枚数及び総枚数中の現在表示している画像の位置を示す番号１００２が表示されている。また、撮影情報としてストロボ発光したかどうかを示すアイコン１００３が表示されている。
【００７５】
この状態からユーザがメニューを開き、赤目補正を選択すると赤目補正対象画像選択画面１００４へ移る。この赤目補正対象画像選択画面では、画面左下に表示されていた画像の総枚数及び総枚数中の現在表示している画像の位置を示す番号が、ストロボ発光画像の総枚数及びストロボ発光画像中の現在位置を示す番号１００５に切り替わっている。なお、図１０に示されるように、ユーザによって表示を一枚表示モードから複数枚画像表示モードに切り替えられても、赤目補正対象画像選択画面１００６には、ストロボ発光画像しか表示されない。つまり、ストロボ発光画像以外の画像は表示されない。
【００７６】
図１１は、通常再生画面でストロボ発光していない画像を表示した状態で赤目補正画面に移った時の画面を示す図である。通常再生画面１１０１において、ストロボ発光していない画像を表示した状態でメニュー表示を行い、赤目補正が選択された場合、赤目補正対象画像選択画面１１０２ではストロボ発光した最新画像へ自動で移動する。これに伴ってストロボ発光画像枚数表示１１０３も切り替えられる。
【００７７】
以上、図１から図１１を用いて本実施形態の説明を行った。本実施形態では、ストロボ発光画像の枚数のチェックは起動後にするよう説明を行ったが、ＭＥＮＵボタンが押された後にするようにしてもよい。また、本実施形態では、ストロボ発光画像がない場合には赤目補正項目をグレイアウトするよう説明を行ったが、ユーザが選択できないことを示せればこれに限ったものではない。また、ストロボ発光画像の有無に加えて、顔認識によって顔の有無を判断し、ストロボ発行画像に顔が含まれる場合に、赤目補正項目を選択可能にするようにしてもよい。
【００７８】
また、本実施形態では、画像表示部２８をＯＦＦする場合に、画像表示部２８を構成する全ての要素をＯＦＦするものとして説明を行ったが、画像表示部２８の要素の一部をＯＦＦするだけでもよい。このようにすることでも、画像処理装置１００は、撮影画像の確認と、省電力とを共に行う機能を備えることができる。例えば、画像表示部２８がＬＣＤとバックライトとから構成されている場合、ＬＣＤがＯＮのままバックライトのみをＯＦＦしても、画像処理装置１００は、撮影画像の確認と、省電力とを共に行う機能を備えることができる。
【００７９】
また、本実施形態では、画像表示ＯＮ／ＯＦＦスイッチ６６と、クイックレビューＯＮ／ＯＦＦスイッチ６８とは、それぞれ独立した構成として説明した。しかしながら、画像表示ＯＮ／ＯＦＦスイッチ６６と、クイックレビューＯＮ／ＯＦＦスイッチ６８とを一つの兼用スイッチとしてまとめ、画像表示ＯＮ／クイックレビューのみ画像表示ＯＮ／画像表示ＯＦＦの３ポジションを備える構成としてもよい。
【００８０】
また、スルー表示とクイックレビュー表示とを行うそれぞれ専用の画像表示部を備える構成として、それらの表示部のＯＮ／ＯＦＦを画像表示ＯＮ／ＯＦＦスイッチ６６及びクイックレビューＯＮ／ＯＦＦスイッチ６８の設定に応じて行う構成としてもよい。この場合も、画像処理装置１００は、撮影画像の確認と、省電力とを共に行う機能を備えることができる。
【００８１】
そして、本実施形態では、画像表示ＯＮ／ＯＦＦスイッチ６６がＯＮの場合は、クイックレビューＯＮ／ＯＦＦスイッチ６８の設定に関わらず撮影直後のクイックレビュー表示を行うものとして説明を行った。しかしながら、画像表示ＯＮ／ＯＦＦスイッチ６６がＯＮの場合にクイックレビューＯＮ／ＯＦＦスイッチ６８の設定に応じてクイックレビュー表示を行うか否かを決定するようにしてもよい。
【００８２】
なお、記録媒体２００及び２１０は、マイクロＤＡＴ、光磁気ディスク、ＣＤ−ＲやＣＤ−ＷＲ等の光ディスク、ＤＶＤ等の相変化型光ディスク等で構成されていてもよい。
【００８３】
また、記録媒体２００及び２１０がメモリカードとハードディスク等とが一体となった複合媒体であってもよい。更に、その複合媒体から一部が着脱可能な構成としてもよい。
【００８４】
また、本実施形態では、記録媒体２００及び２１０は画像処理装置１００と分離していて任意に接続可能なものとして説明したが、何れか或いは全ての記録媒体が画像処理装置１００に固定したままとなっていてもよい。
【００８５】
また、画像処理装置１００に記録媒体２００或いは２１０が、単数或いは複数の任意の個数、接続可能な構成であってもよい。
【００８６】
（その他の実施形態）
また、本発明の目的は、以下のようにすることによって達成されることはいうまでもない。即ち、上述した実施形態の機能を実現するソフトウェアのプログラムコードを記録した記録媒体（又は記憶媒体）を、システム或いは装置に供給する。そして、そのシステム或いは装置のコンピュータ（又はＣＰＵやＭＰＵ）が記録媒体に格納されたプログラムコードを読み出し実行する。この場合、記録媒体から読み出されたプログラムコード自体が上述した実施形態の機能を実現することになり、そのプログラムコードを記録した記録媒体は本発明を構成することになる。
【００８７】
また、コンピュータが読み出したプログラムコードを実行することにより、そのプログラムコードの指示に基づき、コンピュータ上で稼働しているオペレーティングシステム（ＯＳ）等が実際の処理の一部又は全部を行う。その処理によって上述した実施形態の機能が実現される場合も含まれることは言うまでもない。
【００８８】
更に、記録媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれることは言うまでもない。
【００８９】
本発明を前記記録媒体に適用する場合、その記録媒体には、先に説明したフローチャートに対応するプログラムコードが格納されることになる。
【００９０】
以上、上述した各実施形態によれば、フラッシュを用いて撮影を行う機能と、赤目を再生時に補正する機能とを有するカメラにおいて、フラッシュ発光画像がない場合は、赤目補正機能を選択できないように制御する。また、赤目補正処理中はフラッシュ発光画像しか表示させないように制御する。これらのことにより、ユーザは簡単な操作で対象画像を選び出し赤目補正処理を実行することができる。
【００９１】
つまり、ユーザが赤目補正に係る操作を簡単に行うことができるようにすることができる。
【００９２】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００９３】
【図１】画像処理装置１００の構成を示す図である。
【図２】画像処理装置１００の操作部材を示す図である。
【図３】起動時の処理を示すフローチャートである。
【図４】入力待ち処理を示すフローチャートである。
【図５】ＭＥＮＵ生成処理を示すフローチャートである。
【図６】ＭＥＮＵ選択処理を示すフローチャートである。
【図７】赤目補正画像選択の処理を示すフローチャートである。
【図８】メニュー表示方法の一例を示す図である。
【図９】各処理の概念図である。
【図１０】通常再生画面から赤目補正対象画像選択画面に移った時の画面を示す図である。
【図１１】通常再生画面でストロボ発光していない画像を表示した状態で赤目補正画面に移った時の画面を示す図である。
【符号の説明】
【００９４】
５０    システム制御回路
１００  画像処理装置
【図１】
2008060845.tif 000003
【図２】
2008060845.tif 000004
【図３】
2008060845.tif 000005
【図４】
2008060845.tif 000006
【図５】
2008060845.tif 000007
【図６】
2008060845.tif 000008
【図７】
2008060845.tif 000009
【図８】
2008060845.tif 000010
【図９】
2008060845.tif 000011
【図１０】
2008060845.tif 000012
【図１１】
2008060845.tif 000013